【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
媒体を固定するための吸着圧力を発生させる吸着溝が設けられ、前記吸着溝と連通し、前記吸着溝よりも断面積が小さく絞られた構造によって前記吸着溝に流れる流量を制限し、前記吸着溝の大気開放される部分に圧力損失を発生させて、前記媒体を吸着する圧力の抜けを妨げるとともに、前記吸着溝の開口が設けられる面が塞がれている構造を有する絞り部が設けられる媒体保持手段と、
前記媒体保持手段に固定される媒体に付与される吸着圧力を発生させる吸着圧力発生手段と、
を備えたことを特徴とする媒体保持装置。
【請求項２】
請求項１に記載の媒体保持装置において、
前記吸着溝は、開口の一部が塞がれた構造を有し、当該開口の一部が塞がれた部分において前記絞り部と連通する構造を有することを特徴とする媒体保持装置。
【請求項３】
請求項１に記載の媒体保持装置において、
前記吸着溝は、開口の一部の幅が絞られた構造を有するとともに、当該開口の一部の幅が絞られた部分の少なくとも一部は開口が塞がれた構造を有し、当該開口が塞がれた部分において前記絞り部と連通する構造を有することを特徴とする媒体保持装置。
【請求項４】
請求項１乃至３のいずれかに記載の媒体保持装置において、
前記媒体保持手段は、前記吸着溝の開口と連通する吸着穴が設けられることを特徴とする媒体保持装置。
【請求項５】
画像が記録される媒体を固定するための吸着圧力を発生させる吸着溝が設けられ、前記吸着溝と連通し、前記吸着溝よりも断面積が小さく絞られた構造によって前記吸着溝に流れる流量を制限し、前記吸着溝の大気開放される部分に圧力損失を発生させて、前記媒体を吸着する圧力の抜けを妨げるとともに、前記吸着溝の開口が設けられる面が塞がれている構造を有する絞り部が設けられる媒体保持手段と、
前記媒体保持手段に固定される媒体に付与される吸着圧力を発生させる吸着圧力発生手段と、
前記媒体保持手段に固定される媒体に画像を記録する記録手段と、
を備えたことを特徴とする画像記録装置。
【手続補正２】
【補正対象書類名】明細書
【補正対象項目名】００１６
【補正方法】変更
【補正の内容】
【００１６】
上記目的を達成するために、本発明に係る媒体保持装置は、媒体を固定するための吸着圧力を発生させる吸着溝が設けられ、前記吸着溝と連通し、前記吸着溝よりも断面積が小さく絞られた構造によって前記吸着溝に流れる流量を制限し、前記吸着溝の大気開放される部分に圧力損失を発生させて、前記媒体を吸着する圧力の抜けを妨げるとともに、前記吸着溝の開口が設けられる面が塞がれている構造を有する絞り部が設けられる媒体保持手段と、前記媒体保持手段に固定される媒体に付与される吸着圧力を発生させる吸着圧力発生手段と、を備えたことを特徴とする。また、請求項２に係る発明は、請求項１に記載の媒体保持装置において、前記吸着溝は、開口の一部が塞がれた構造を有し、当該開口の一部が塞がれた部分において前記絞り部と連通する構造を有することを特徴とする。また、請求項３に係る発明は、請求項１に記載の媒体保持装置において、前記吸着溝は、開口の一部の幅が絞られた構造を有するとともに、当該開口の一部の幅が絞られた部分の少なくとも一部は開口が塞がれた構造を有し、当該開口が塞がれた部分において前記絞り部と連通する構造を有することを特徴とする。また、請求項４に係る発明は、請求項１乃至３のいずれかに記載の媒体保持装置において、前記媒体保持手段は、前記吸着溝の開口と連通する吸着穴が設けられることを特徴とする。また、請求項５に係る画像記録装置は、画像が記録される媒体を固定するための吸着圧力を発生させる吸着溝が設けられ、前記吸着溝と連通し、前記吸着溝よりも断面積が小さく絞られた構造によって前記吸着溝に流れる流量を制限し、前記吸着溝の大気開放される部分に圧力損失を発生させて、前記媒体を吸着する圧力の抜けを妨げるとともに、前記吸着溝の開口が設けられる面が塞がれている構造を有する絞り部が設けられる媒体保持手段と、前記媒体保持手段に固定される媒体に付与される吸着圧力を発生させる吸着圧力発生手段と、前記媒体保持手段に固定される媒体に画像を記録する記録手段と、を備えたことを特徴とする。
【手続補正３】
【補正対象書類名】明細書
【補正対象項目名】００２１
【補正方法】変更
【補正の内容】
【００２１】
また、媒体を固定保持する媒体保持面に開口部を有する流路形成部が所定の配置パターンに従って設けられるとともに、前記流路形成部に流れる流量を制限し、前記流路形成部の断面積よりも小さい断面積を有する流路制御部が設けられ、前記流路制御部を介して前記流路形成部と連通する圧力発生部が設けられる媒体保持手段と、前記媒体保持手段に保持される媒体に付与される吸着圧力を発生させる吸着圧力発生手段と、を備えた媒体保持装置も好ましい。また、前記媒体保持手段は、前記圧力発生部が設けられる本体部に前記流路形成部及び前記流路制御部が設けられるシート状部材を重ねた構造を有する態様も好ましい。
【手続補正４】
【補正対象書類名】明細書
【補正対象項目名】００２２
【補正方法】変更
【補正の内容】
【００２２】
かかる態様によれば、流路形成部となる形状及び流路制御部となる形状をシート状部材に形成し、該シート状部材を媒体保持手段の本体部に重ねる構造とすることで、流路形成部及び流路制御部を含む複雑な立体構造を容易に形成することが可能となる。
【手続補正５】
【補正対象書類名】明細書
【補正対象項目名】００２４
【補正方法】変更
【補正の内容】
【００２４】
また、前記本体部における前記シート状部材の辺部に対応する位置に前記シート状部材の辺部に沿う方向に沿って設けられ、前記吸着圧力発生手段と連通するシート状部材流路形成部を備える態様も好ましい。
【手続補正６】
【補正対象書類名】明細書
【補正対象項目名】００２５
【補正方法】変更
【補正の内容】
【００２５】
かかる態様によれば、本体部にシート状部材を重ねる際に、シート状部材流路形成部を介してシート状部材に吸着圧力を付与することで、本体部とシート状部材とを密着させることができ、好ましい。
【手続補正７】
【補正対象書類名】明細書
【補正対象項目名】００２６
【補正方法】変更
【補正の内容】
【００２６】
また、媒体を保持する媒体保持面に所定の配置パターンに従って配置された複数の吸着穴が設けられ、前記吸着穴の開口と反対側面で前記吸着穴と連通する流路形成部が所定の配置パターンに従って設けられるとともに、前記流路形成部に流れる流量を制限し、前記流路形成部の断面積よりも小さい断面積を有する流路制御部が設けられ、前記流路制御部を介して前記流路形成部と連通する圧力発生部が設けられる媒体保持手段と、前記媒体保持手段に保持される媒体に付与される吸着圧力を発生させる吸着圧力発生手段と、を備えた媒体保持装置も好ましい。
【手続補正８】
【補正対象書類名】明細書
【補正対象項目名】００２７
【補正方法】変更
【補正の内容】
【００２７】
かかる発明によれば、媒体と接触する吸着穴と連通する流路形成部と圧力発生部の間に吸着圧力を絞る機能を有する流路制御部を備えることで、小さい吸着領域から強い吸着圧力で媒体を吸着保持することが可能となる。また、媒体保持面に吸着穴を設けることで、媒体の流路形成部に対応する部分に吸着力が集中することがなく、流路形成部の開口が比較的大きい場合でも、吸着力による媒体の変形を回避することが可能となる。
【手続補正９】
【補正対象書類名】明細書
【補正対象項目名】００２９
【補正方法】変更
【補正の内容】
【００２９】
また、前記流路制御部は、前記吸着穴が設けられていない吸着穴非配設領域に対応する位置に設けられる態様も好ましい。
【手続補正１０】
【補正対象書類名】明細書
【補正対象項目名】００３１
【補正方法】変更
【補正の内容】
【００３１】
また、前記媒体保持手段は、前記圧力発生部が設けられる本体部に前記流路形成部及び前記流路制御部が設けられる第１のシート状部材を重ねた構造を有し、更に、前記第１のシート状部材に前記吸着穴が設けられる第２のシート状部材を重ねた構造を有する態様も好ましい。
【手続補正１１】
【補正対象書類名】明細書
【補正対象項目名】００３２
【補正方法】変更
【補正の内容】
【００３２】
かかる態様によれば、本体部に吸着圧力の流路となる形状が形成された２枚のシート状部材を重ねることで、吸着穴、流路形成部及び流路制御部を含む複雑な立体構造を容易に形成することが可能となる。
【手続補正１２】
【補正対象書類名】明細書
【補正対象項目名】００３５
【補正方法】変更
【補正の内容】
【００３５】
また、前記本体部は、前記第１のシート状部材の辺部に対応する位置に前記第１のシート状部材の辺部に沿う方向に沿って設けられ、前記吸着圧力発生手段と連通するシート状部材流路形成部を備える態様も好ましい。
【手続補正１３】
【補正対象書類名】明細書
【補正対象項目名】００３６
【補正方法】変更
【補正の内容】
【００３６】
かかる態様によれば、本体部と第１のシート状部材との密着性を高めることができ好ましい。
【手続補正１４】
【補正対象書類名】明細書
【補正対象項目名】００３７
【補正方法】変更
【補正の内容】
【００３７】
また、前記第１のシート状部材は、前記シート状部材流路形成部に対応する位置に複数のシート状部材吸着穴を備える態様も好ましい。
【手続補正１５】
【補正対象書類名】明細書
【補正対象項目名】００３８
【補正方法】変更
【補正の内容】
【００３８】
かかる態様によれば、第１のシート状部材と第２のシート状部材の密着性を高めることができ、好ましい。
【手続補正１６】
【補正対象書類名】明細書
【補正対象項目名】００３９
【補正方法】変更
【補正の内容】
【００３９】
また、前記流路形成部は、前記媒体保持面に吸着される複数の媒体のサイズに対応した配置パターンに従って配置される態様も好ましい。
【手続補正１７】
【補正対象書類名】明細書
【補正対象項目名】００４０
【補正方法】変更
【補正の内容】
【００４０】
かかる態様によれば、異なるサイズの媒体に対して吸着圧力の流路の切り替えなどを行う必要がなく、装置構成が簡略化される。
【手続補正１８】
【補正対象書類名】明細書
【補正対象項目名】００４１
【補正方法】変更
【補正の内容】
【００４１】
また、前記流路形成部は、前記媒体保持面に吸着される媒体の端部に対応する位置まで設けられる態様も好ましい。
【手続補正１９】
【補正対象書類名】明細書
【補正対象項目名】００４２
【補正方法】変更
【補正の内容】
【００４２】
かかる態様によれば、媒体保持面に保持される媒体の端部に対して吸着圧力を作用させることができ、媒体のエッジ部分のいわゆる浮きが防止される。
【手続補正２０】
【補正対象書類名】明細書
【補正対象項目名】００４３
【補正方法】変更
【補正の内容】
【００４３】
また、前記媒体保持面に保持される媒体を所定の方向に移動させる媒体移動手段を備え、前記媒体保持手段は、前記媒体の移動方向に沿って複数の流路形成部が配置される構造を有し、各流路形成部は前記媒体の移動方向と直交する方向に沿って設けられるとともに、長さが異なる２種類以上の流路形成部を具備する態様も好ましい。
【手続補正２１】
【補正対象書類名】明細書
【補正対象項目名】００４４
【補正方法】変更
【補正の内容】
【００４４】
かかる態様によれば、吸着圧力を付与する領域を変更することなく、異なるサイズを有する媒体に対応することができる。
【手続補正２２】
【補正対象書類名】明細書
【補正対象項目名】００４５
【補正方法】変更
【補正の内容】
【００４５】
また、前記流路制御部は、前記媒体保持面に保持される媒体の移動方向と直交する方向の中央部に対応する位置に設けられるとともに、前記流路形成部は、前記流路制御部が設けられる位置から前記媒体の周囲に向かって形成される態様も好ましい。
【手続補正２３】
【補正対象書類名】明細書
【補正対象項目名】００４６
【補正方法】変更
【補正の内容】
【００４６】
かかる態様によれば、媒体保持面に保持される媒体を中央部から周辺部に向かって吸着することができ、媒体のしわやたるみを防止することができる。
【手続補正２４】
【補正対象書類名】明細書
【補正対象項目名】００４７
【補正方法】変更
【補正の内容】
【００４７】
また、前記媒体保持面に保持される媒体を所定の方向に移動させる媒体移動手段を備え、前記媒体保持手段は、前記媒体の移動方向と直交する方向に沿って複数の流路形成部が配置される構造を有し、各流路形成部は前記媒体の移動方向に沿って設けられるとともに、異なるサイズの媒体に対応して長さが異なる２種類以上の流路形成部を具備する態様も好ましい。
【手続補正２５】
【補正対象書類名】明細書
【補正対象項目名】００４８
【補正方法】変更
【補正の内容】
【００４８】
かかる態様では、吸着圧力を付与する領域を変更することなく、異なるサイズを有する媒体に対応することができる。
【手続補正２６】
【補正対象書類名】明細書
【補正対象項目名】００４９
【補正方法】変更
【補正の内容】
【００４９】
また、前記流路制御部は、前記媒体保持面に保持される媒体の移動方向の端部に設けられることを特徴とする。
【手続補正２７】
【補正対象書類名】明細書
【補正対象項目名】００５０
【補正方法】変更
【補正の内容】
【００５０】
かかる態様によれば、圧力発生部の形状をより簡単にすることができる。
【手続補正２８】
【補正対象書類名】明細書
【補正対象項目名】００５１
【補正方法】変更
【補正の内容】
【００５１】
また、前記媒体保持手段は、回転体形状を有する媒体保持体を含む態様も好ましい。
【手続補正２９】
【補正対象書類名】明細書
【補正対象項目名】００５２
【補正方法】変更
【補正の内容】
【００５２】
かかる態様では、曲率半径の小さい回転体形状を有する保持部材でも、コシの強い記録媒体を確実に固定することができる。
【手続補正３０】
【補正対象書類名】明細書
【補正対象項目名】００５３
【補正方法】変更
【補正の内容】
【００５３】
かかる態様では、回転体形状を有する保持部材を備える場合、記録媒体の移動方向は該回転体の回転方向となる。
【手続補正３１】
【補正対象書類名】明細書
【補正対象項目名】００５４
【補正方法】変更
【補正の内容】
【００５４】
また、前記媒体保持体は、円筒形状を有する態様も好ましい。
【手続補正３２】
【補正対象書類名】明細書
【補正対象項目名】００５５
【補正方法】変更
【補正の内容】
【００５５】
かかる態様では、媒体の移動方向は円筒形状（ドラム形状）の周方向となる。
【手続補正３３】
【補正対象書類名】明細書
【補正対象項目名】００５６
【補正方法】変更
【補正の内容】
【００５６】
また、前記吸着穴は、前記媒体保持体の軸方向の長さよりも周方向の長さが大きい楕円形状或いは長穴形状である態様も好ましい。
【手続補正３４】
【補正対象書類名】明細書
【補正対象項目名】００５７
【補正方法】変更
【補正の内容】
【００５７】
かかる態様によれば、吸着穴の平面形状を円形状とすると、媒体を固定したときの媒体の変形は周方向よりも軸方向の方が大きくなってしまうので、吸着穴の平面形状を、媒体保持体の軸方向の長さよりも周方向の長さが大きい形状とすることで、媒体の変形が一様になり、好ましい。
【手続補正３５】
【補正対象書類名】明細書
【補正対象項目名】００５８
【補正方法】変更
【補正の内容】
【００５８】
また、使用する媒体の曲げ剛性に対応して、前記媒体の曲げ剛性が相対的に大きい場合には前記媒体に付与する吸着圧力を相対的に大きくし、前記媒体の曲げ剛性が相対的に小さい場合には前記媒体に付与する吸着圧力を相対的に小さくするように前記吸着圧力発生手段を制御する吸着圧力制御手段を備える態様も好ましい。
【手続補正３６】
【補正対象書類名】明細書
【補正対象項目名】００５９
【補正方法】変更
【補正の内容】
【００５９】
かかる態様によれば、媒体の曲げ剛性に応じて媒体に付与する吸着圧力が変更されるので、大小さまざまな曲げ剛性を持つ媒体を用いても、確実に媒体を固定することができ、好ましい。
【手続補正３７】
【補正対象書類名】明細書
【補正対象項目名】００６０
【補正方法】変更
【補正の内容】
【００６０】
また、前記圧力発生部の圧力に応じて前記圧力発生部に流れる流量を制御する態様も好ましい。
【手続補正３８】
【補正対象書類名】明細書
【補正対象項目名】００６１
【補正方法】変更
【補正の内容】
【００６１】
かかる態様によれば、サイズの小さい媒体の場合には流量を増やし、サイズの大きい媒体の場合には流量を減らすことで、媒体のサイズの違いによらず吸着力を一定に保つことができる。
【手続補正３９】
【補正対象書類名】明細書
【補正対象項目名】００６２
【補正方法】変更
【補正の内容】
【００６２】
また、前記媒体を前記媒体保持手段と反対側から前記媒体保持手段に押し付ける媒体保持補助手段を備える態様も好ましい。
【手続補正４０】
【補正対象書類名】明細書
【補正対象項目名】００６３
【補正方法】変更
【補正の内容】
【００６３】
かかる態様によれば、媒体を媒体固定手段の表面により密着させることができ、好ましい。
【手続補正４１】
【補正対象書類名】明細書
【補正対象項目名】００６４
【補正方法】変更
【補正の内容】
【００６４】
また、前記媒体保持補助手段は、前記媒体に対して前記媒体保持手段と反対側から空気流を吹き付ける空気流吹付手段を含む態様も好ましい。
【手続補正４２】
【補正対象書類名】明細書
【補正対象項目名】００６５
【補正方法】変更
【補正の内容】
【００６５】
かかる態様によれば、前記媒体に接触することなく、前記媒体を前記媒体保持手段に密着させることができ、好ましい。
【手続補正４３】
【補正対象書類名】明細書
【補正対象項目名】００６６
【補正方法】変更
【補正の内容】
【００６６】
また、上記の何れかに記載の媒体保持装置と、前記媒体に画像記録を行う記録手段と、を備える画像記録装置も好ましい。
【手続補正４４】
【補正対象書類名】明細書
【補正対象項目名】００６７
【補正方法】変更
【補正の内容】
【００６７】
かかる画像記録装置によれば、媒体と記録ヘッドとの間に媒体を固定させるための部材が突出することがないので、媒体と記録ヘッドとのスローディスタンスを短くすることができ、高品質の画像記録に好適である。
【手続補正４５】
【補正対象書類名】明細書
【補正対象項目名】００６９
【補正方法】変更
【補正の内容】
【００６９】
また、上記の何れかに記載の媒体保持装置と、吐出口から液体を吐出させて前記媒体に画像記録を行う記録ヘッドと、を備えた画像記録装置も好ましい。
【手続補正４６】
【補正対象書類名】明細書
【補正対象項目名】００７０
【補正方法】変更
【補正の内容】
【００７０】
かかる画像記録装置によれば、媒体と記録ヘッドとの間に媒体を固定させるための部材が突出することがないので、媒体と記録ヘッドとのスローディスタンスを短くすることができ、高品質の画像記録に好適である。
【手続補正４７】
【補正対象書類名】明細書
【補正対象項目名】００７２
【補正方法】変更
【補正の内容】
【００７２】
なお、上記画像記録装置に適用可能な液体はカラーインクに限定されず、樹脂液、レジスト液、各種処理液などインクジェット方式で吐出可能な様々な種類の液体を含んでいる。
【手続補正４８】
【補正対象書類名】明細書
【補正対象項目名】発明の名称
【補正方法】変更
【補正の内容】
【発明の名称】媒体保持装置及び画像記録装置